(57)【要約】【課題】食器洗浄運転の開始を指示するための操作を簡素化することができ、食器洗浄運転を行う意思がない使用者に対して不要な電力が消費されているとの不満を抱かせることを防ぐ食器洗浄機を提供する。【解決手段】食器洗浄機１は、位置センサ４５がＯＮであるときに隠ぺいされるスタートスイッチ５１と、食器洗浄運転を実行する運転制御部１１とを備え、運転制御部１１は、食器洗浄運転を実行していない状態且つＬＥＤ５４が非表示状態であって位置センサ４５がＯＦＦになったときに、運転禁止モードに設定すると共にコースＬＥＤ５４の非表示状態を維持し、運転禁止モードにおいてスタートスイッチ５１が操作されたときに、位置センサ４５がＯＮになったときに食器洗浄運転を実行する運転待機モードに設定すると共にコースＬＥＤ５４を所定の表示状態とする。【選択図】  図５
2016067674.tif 000002
【特許請求の範囲】
【請求項１】
食器が収容される洗浄槽と、
前面に開口を有し、該開口を介して前記洗浄槽が出し入れされる筐体と、
前記洗浄槽が前記筐体内の所定の洗浄位置に収納された正常収納状態であることを検出する位置検出手段と、
前記位置検出手段により正常収納状態であることが検出されているときに、前記洗浄槽に収容された食器を洗浄する食器洗浄運転を実行する制御手段と、
食器洗浄運転の開始を指示するための運転スイッチと
表示手段と
を備えた食器洗浄機であって、
前記運転スイッチは、前記洗浄槽の前端の上面に設けられ、前記洗浄槽が前記筐体の洗浄位置に収納された状態であるときには隠ぺいされて使用者による操作が不能となり、
前記制御手段は、
前記位置検出手段により正常収納状態であることが検知されたときに前記食器洗浄運転を実行する運転待機モードと、前記位置検出手段により正常収納状態であることが検知されても前記食器洗浄運転を実行しない運転禁止モードとを選択的に設定可能であり、
前記食器洗浄運転を実行していない状態且つ前記表示手段が非表示状態であって、前記位置検出手段により正常収納状態であることが検出された状態から検出されない状態に切り替わったときに、前記運転禁止モードとすると共に前記表示手段の非表示状態を維持し、
前記運転禁止モードにおいて前記運転スイッチが操作されたときに、前記運転待機モードとすると共に前記表示手段を所定の表示状態とする
ことを特徴とする食器洗浄機。
【請求項２】
請求項１記載の食器洗浄機において、
前記洗浄槽の前端の上面に設けられ、前記洗浄槽が前記筐体の洗浄位置に収納された状態であるときには隠ぺいされて使用者による操作が不能となる、前記食器洗浄運転の運転条件を設定するための条件設定スイッチを備え、
前記表示手段は、前記食器洗浄運転の運転条件を表示し、
前記制御手段は、前記運転禁止モードにおいて前記条件設定スイッチが操作されたときに、前記運転禁止モードを維持すると共に、前記条件設定スイッチの操作に応じて食器洗浄運転の運転条件を設定し、前記表示手段を設定された運転条件に対応した所定の表示状態とすることを特徴とする食器洗浄機。
【請求項３】
請求項２に記載の食器洗浄機において、
前記制御手段は、前記運転待機モードにおいて前記条件設定スイッチが操作されたときに、前記運転禁止モードに切り替えると共に、前記条件設定スイッチの操作に応じて前記食器洗浄運転の運転条件を設定し、前記表示手段を設定された運転条件に対応した所定の表示状態とすることを特徴とする食器洗浄機。
【請求項４】
請求項２に記載の食器洗浄機において、
前記制御手段は、前記運転待機モードにおいて前記条件設定スイッチが操作されたときに、前記運転待機モードを維持すると共に、前記条件設定スイッチの操作に応じて前記食器洗浄運転の運転条件を設定し、前記表示手段を設定された運転条件に対応した所定の表示状態とすることを特徴とする食器洗浄機。
【請求項５】
請求項１〜請求項４のいずれか１項記載の食器洗浄機において、
ブザーを備え、
前記制御手段は、前記運転禁止モード且つ前記表示手段が表示状態であって、前記位置検出手段によって正常収納状態であることが検知されたときに、前記ブザーによる報知を行うことを特徴とする食器洗浄機。
【発明の詳細な説明】
【技術分野】
【０００１】
本発明は、前面引き出し式の食器洗浄機に関する。
【背景技術】
【０００２】
従来、食器が収容される洗浄槽が筐体から水平方向に出し入れされる、前面引き出し式の食器洗浄機において、美観を得る目的や、使用者が食器洗浄運転中に電源スイッチ、スタートスイッチ、設定スイッチ等のスイッチ類に誤って触れることを防ぐ目的で、スイッチ類を、洗浄槽の前端の上部であって洗浄槽が筐体内に収納されたときに筐体内に隠れる位置に設け、洗浄槽を収納したときにスイッチ類を操作不能としたものが知られている。
【０００３】
前記食器洗浄機では、使用者は、まず、洗浄槽を筐体から引き出し、食器類や洗浄剤を洗浄槽に収容する。次に、使用者は、電源スイッチを操作して電源をＯＮにする。電源がＯＮされることにより、電源スイッチが点灯し、スタートスイッチや設定スイッチの操作が可能になる。
【０００４】
そして、使用者が、設定スイッチを操作して運転条件を設定し、続いて、スタートスイッチを操作して洗浄槽を筐体内へ収納すると、食器洗浄機において食器洗浄運転が開始される。
【０００５】
前記食器洗浄機では、使用者が電源スイッチの操作を忘れると、スタートスイッチを操作しても食器洗浄運転が開始されないため、食器洗浄機が故障したと勘違いされることがある。また、電源スイッチの操作が煩わしいという問題がある。
【０００６】
そこで、洗浄槽が筐体から引き出されたときに電源をＯＮする構成とすることによって、電源スイッチを省いた食器洗浄機が提案されている（例えば特許文献１参照）。
【０００７】
特許文献１の食器洗浄機によれば、洗浄槽を筐体から引き出したときに電源がＯＮになるので、設定スイッチとスタートスイッチを操作して洗浄槽を筐体内へ収納するだけで、食器洗浄運転を実行することができる。
【先行技術文献】
【特許文献】
【０００８】
【特許文献１】特開２００７−３２５７０７号公報
【発明の概要】
【発明が解決しようとする課題】
【０００９】
ところで、食器洗浄機は、食器類を洗浄する目的で使用される以外に、洗浄済の食器類を次に使用するまで一時保管する目的で使用されることがある。後者の場合には、特許文献１の食器洗浄機では、洗浄済の食器類を取り出すために洗浄槽を筐体から引き出す度に電源がＯＮされて電源ランプが点灯する。このため、無駄な電力が消費されると共に、電源ランプの点灯を視認した使用者に対しても不要な電力が消費されているとの不満を抱かせるおそれがある。
【００１０】
本発明はかかる背景に鑑みてなされたものであり、本発明は、食器洗浄運転の開始を指示するための操作を簡素化することができ、食器洗浄運転を行う意思がない使用者に対して不要な電力が消費されているとの不満を抱かせることを防ぐことを目的とする。
【課題を解決するための手段】
【００１１】
前記目的を達成するために、本発明は、
食器が収容される洗浄槽と、
前面に開口を有し、該開口を介して前記洗浄槽が出し入れされる筐体と、
前記洗浄槽が前記筐体内の所定の洗浄位置に収納された正常収納状態であることを検出する位置検出手段と、
前記位置検出手段により正常収納状態であることが検出されているときに、前記洗浄槽に収容された食器を洗浄する食器洗浄運転を実行する制御手段と、
食器洗浄運転の開始を指示するための運転スイッチと
表示手段と
を備えた食器洗浄機であって、
前記運転スイッチは、前記洗浄槽の前端の上面に設けられ、前記洗浄槽が前記筐体の洗浄位置に収納された状態であるときには隠ぺいされて使用者による操作が不能となり、
前記制御手段は、
前記位置検出手段により正常収納状態であることが検知されたときに前記食器洗浄運転を実行する運転待機モードと、前記位置検出手段により正常収納状態であることが検知されても前記食器洗浄運転を実行しない運転禁止モードとを選択的に設定可能であり、
前記食器洗浄運転を実行していない状態且つ前記表示手段が非表示状態であって、前記位置検出手段により正常収納状態であることが検出された状態から検出されない状態に切り替わったときに、前記運転禁止モードとすると共に前記表示手段の非表示状態を維持し、
前記運転禁止モードにおいて前記運転スイッチが操作されたときに、前記運転待機モードとすると共に前記表示手段を所定の表示状態とする
ことを特徴とする（第１発明）。
【００１２】
第１発明の食器洗浄機では、運転スイッチは、洗浄槽の前端の上面に設けられ、洗浄槽が筐体の洗浄位置に収納された状態であるときには隠ぺいされて使用者による操作が不能である。このため、使用者は、洗浄槽を筐体から引き出さなければ、運転スイッチを操作できない。
【００１３】
そして、使用者によって洗浄槽が筐体から引き出されると、運転スイッチが露出して操作可能になると共に、位置検出手段によって正常収納状態が検知されない状態になる。
【００１４】
制御手段は、食器洗浄運転を実行していない状態且つ前記表示手段が非表示状態であって、位置検出手段によって正常収納状態が検知されない状態になったとき、運転禁止モードとすると共に前記表示手段の非表示状態を維持する。
【００１５】
従って、第１発明の食器洗浄機によれば、使用者が洗浄槽から洗浄済の食器類を取り出す目的で洗浄槽を筐体から引き出したとき、表示手段が非表示状態となっているので、食器洗浄運転を行う意思がない使用者に対して不要な電力が消費されているとの不満を抱かせることを防ぐことができる。
【００１６】
そして、制御手段は、運転禁止モードにおいて使用者によって運転スイッチが操作されたとき、運転待機モードに切り替えると共に、表示手段を所定の表示状態とする。ここで、運転待機モードは、位置検出手段により正常収納状態であることが検出されたときに食器洗浄運転を実行するモードである。
【００１７】
そして、運転待機モードにおいて使用者によって洗浄槽が筐体内の洗浄位置に収納されたとき、位置検出手段によって正常収納状態であることが検出される。これを受けて、制御手段は、食器洗浄運転を開始する。
【００１８】
従って、第１発明の食器洗浄機によれば、電源スイッチを操作することなく運転スイッチの操作のみで食器洗浄運転の開始を指示することができるので、食器洗浄運転を開始するための操作を簡素化することができる。
【００１９】
また、第１発明の食器洗浄機において、
前記洗浄槽の前端の上面に設けられ、前記洗浄槽が前記筐体の洗浄位置に収納された状態であるときには隠ぺいされて使用者による操作が不能となる、前記食器洗浄運転の運転条件を設定するための条件設定スイッチを備え、
前記表示手段は、前記食器洗浄運転の運転条件を表示し、
前記制御手段は、前記運転禁止モードにおいて前記条件設定スイッチが操作されたときに、前記運転禁止モードを維持すると共に、前記条件設定スイッチの操作に応じて食器洗浄運転の運転条件を設定し、前記表示手段を設定された運転条件に対応した所定の表示状態とすることを特徴とする（第２発明）。
【００２０】
第２発明の食器洗浄機では、条件設定スイッチもまた、運転スイッチと同様に、洗浄槽の前端の上面に設けられ、洗浄槽が筐体の洗浄位置に収納された状態であるときには隠ぺいされて使用者による操作が不能である。このため、使用者は、洗浄槽を筐体から引き出さなければ、条件設定スイッチを操作できない。
【００２１】
そして、使用者によって洗浄槽が筐体から引き出されると、運転スイッチ及び条件設定スイッチが露出して操作可能になると共に、位置検出手段によって正常収納状態が検知されない状態になる。制御手段は、食器洗浄運転を実行していない状態で位置検出手段によって正常収納状態が検知されない状態になったとき、運転禁止モードとすると共に、表示手段を非表示状態とする。
【００２２】
そして、制御手段は、運転禁止モードにおいて使用者によって条件設定スイッチが操作されたとき、運転禁止モードを維持すると共に、条件設定スイッチの操作に応じて食器洗浄運転の運転条件を設定し、表示手段を、設定された運転条件に対応した所定の表示状態とする。
【００２３】
制御手段は、運転禁止モードにおいて使用者によって運転スイッチが操作されたとき、運転待機モードに切り替えると共に、表示手段において設定された運転条件に対応した所定の表示状態を維持する。
【００２４】
そして、運転待機モードにおいて使用者によって洗浄槽が筐体内の洗浄位置に収納されたとき、位置検出手段によって正常収納状態であることが検出される。これを受けて、制御手段は、設定された運転条件に従って食器洗浄運転を開始する。
【００２５】
従って、第２発明の食器洗浄機によれば、電源スイッチを操作することなく、条件設定スイッチ及び運転スイッチの操作のみで、運転条件を設定して食器洗浄運転の開始を指示することができるので、食器洗浄運転を開始するための操作を簡素化することができる。
【００２６】
また、第２発明の食器洗浄機において、
前記制御手段は、前記運転待機モードにおいて前記条件設定スイッチが操作されたときに、前記運転禁止モードに切り替えると共に、前記条件設定スイッチの操作に応じて前記食器洗浄運転の運転条件を設定し、前記表示手段を設定された運転条件に対応した所定の表示状態とすることを特徴とする（第３発明）。
【００２７】
第３発明の食器洗浄機では、使用者によって運転スイッチが操作された後に条件設定スイッチが操作されたとき、制御手段は、運転待機モードから運転禁止モードに切り替えると共に、条件設定スイッチの操作に応じて食器洗浄運転の運転条件を設定し、前記表示手段を設定された運転条件に対応した所定の表示状態とする。
【００２８】
従って、第３発明の食器洗浄機によれば、使用者によって運転スイッチが操作された後に条件設定スイッチが操作されたときには、運転スイッチが改めて操作されるまで運転禁止モードとなるので、洗浄槽が筐体に収納されても食器洗浄運転を開始しない構成とすることができる。
【００２９】
一方、第２発明の食器洗浄機において、運転スイッチが操作された後に条件設定スイッチが操作されたときには、運転待機モードを維持し、洗浄槽が筐体に収納されたときに食器洗浄運転を開始する構成とすることも可能である。
【００３０】
すなわち、第２発明の食器洗浄機において、
前記制御手段は、前記運転待機モードにおいて前記条件設定スイッチが操作されたときに、前記運転待機モードを維持すると共に、前記条件設定スイッチの操作に応じて前記食器洗浄運転の運転条件を設定し、前記表示手段を設定された運転条件に対応した所定の表示状態とすることを特徴とする（第４発明）。
【００３１】
第４発明の食器洗浄機によれば、使用者によって運転スイッチが操作された後に条件設定スイッチが操作されたとき、運転待機モードが維持されるので、使用者は運転スイッチを改めて操作する必要がなく食器洗浄運転の開始を指示するための操作を簡素化することができる。
【００３２】
また、第１発明、第２発明、第３発明又は第４発明の食器洗浄機において、
ブザーを備え、
前記制御手段は、前記前記運転禁止モード且つ前記表示手段が表示状態であって、前記位置検出手段によって正常収納状態であることが検知されたときに、前記ブザーによる報知を行うことを特徴とする（第５発明）。
【００３３】
第５発明の食器洗浄機によれば、運転禁止モード且つ表示手段が表示状態であって、使用者によって洗浄槽が筐体内に収納されたときには、食器洗浄運転を開始できないことを、ブザーによって使用者に報知することにより使用者へ運転スイッチの操作を促すことができる。
【図面の簡単な説明】
【００３４】
【図１】本実施形態の食器洗浄機の構成を断面により示した説明図。
【図２】図１に示した食器洗浄機の使用態様の説明図。
【図３】図１に示した食器洗浄機のスイッチパネルを示す説明図。
【図４】図１に示した食器洗浄機の制御ブロック図。
【図５】運転制御部の処理を示すフローチャート。
【図６】運転制御部の処理を示すフローチャート。
【発明を実施するための形態】
【００３５】
本発明の食器洗浄機の実施形態について、図１〜図６を参照して説明する。
【００３６】
［１．食器洗浄機１の構成］
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００３７】
筐体４０内には、洗浄槽２０に水を供給するための給水管４１、給水管４１を開閉して洗浄槽２０への水の供給と停止を切り替える給水電磁弁４４、洗浄槽２０内の水を排水するための排水管４２、及び、洗浄槽２０が筐体４０の最奥部から一定範囲内（本発明の洗浄位置を含む）に収納されている正常収納状態を検知する位置センサ４５（本発明の位置検出手段に相当する）が備えられている。
【００３８】
洗浄槽２０には、食器類Ｗを収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００３９】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の上方の通気口ｅから排気される。
【００４０】
洗浄槽２０の貯水部と連通管２７により接続された水位検出槽３０には、洗浄槽２０に所定水位の水が貯められていることを検出するフロート式の水位センサ３１が設けられている。
【００４１】
洗浄槽２０の前端の上面には、使用者により操作される操作部５０が設けられている。操作部５０の詳細については後述する。洗浄槽２０の前面には、洗浄槽２０を出し入れする際に使用者により把持される取手部６０が設けられている。洗浄槽２０の前面であって取手部６０の後方には、後述するコントローラ１０が収容されている。
【００４２】
図１に示したように、洗浄槽２０が筐体４０内の洗浄位置に収納されているときには、位置センサ４５がＯＮ（検知状態）である。それに対して、図２に示したように、洗浄槽２０が筐体４０から引き出されているときには、位置センサ４５がＯＦＦ（非検知状態）である。
【００４３】
また、操作部５０は洗浄槽２０の前部の天面に設けられているため、図１に示した洗浄槽２０が筐体４０に収納された状態では、操作部５０がシステムキッチンの天板ＣＴに隠れてしまう。そのため、使用者は操作部５０の視認及び操作をすることができない。
【００４４】
そこで、食器洗浄機１においては、図２に示した洗浄槽２０が筐体４０から引き出されると、操作部５０が露出して操作可能となる仕様である。また、操作部５０を操作して食器洗浄運転の開始を指示した後に、洗浄槽２０が筐体４０に押し込まれ洗浄位置に収納されると、食器洗浄運転が開始される仕様である。
【００４５】
操作部５０は、図３に示すように、スタートスイッチ（本発明の運転スイッチに相当）５１と、コース設定スイッチ（本発明の条件設定スイッチに相当）５２と、予約設定スイッチ５３と、コースＬＥＤ５４と、予約ＬＥＤ５５と、ブザー５６とを備える。コースＬＥＤ５４は、標準ＬＥＤ５４ａ、念入りＬＥＤ５４ｂ、乾燥ＬＥＤ５４ｃ及びソフト排気ＬＥＤ５４ｄからなる。各スイッチ５１，５２，５３、ＬＥＤ５４，５５及びブザー５６の機能については後述する。
【００４６】
次に、図４を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の食器洗浄運転の処理を実行する運転制御部（本発明の制御手段に相当）１１として機能する。
【００４７】
コントローラ１０には、温度センサ２４、水位センサ３１及び位置センサ４５の各検出信号が入力される。また、コントローラ１０から駆動回路７０を介して出力される制御信号により、ヒータ２３、ポンプ２６、給水電磁弁４４、及び乾燥ファン２８の作動が制御される。コントローラ１０及び駆動回路７０には、商用電源（図示せず）に接続された電源回路７１から電力が供給される。
【００４８】
コントローラ１０には、操作部５０の各スイッチの操作信号が入力される。また、コントローラ１０から操作部５０に出力される制御信号により、コースＬＥＤ５４、予約ＬＥＤ５５及びブザー５６の作動が制御される。
【００４９】
〔２．食器洗浄運転〕
運転制御部１１は、「洗浄工程」→「水すすぎ工程」→「加熱すすぎ工程」→「乾燥工程」という一連の工程によって食器洗浄運転を実行する。また、乾燥工程のみを単独で行うことも可能である。
【００５０】
洗浄工程では、運転制御部１１は、まず、給水電磁弁４４を開弁して洗浄槽２０に所定量の水を溜めた後、給水電磁弁４４を閉弁する。このとき、食器かご２１内部に設けられた洗剤容器（図示せず）内の食器用洗剤が水に溶け出す。次に、運転制御部１１は、ヒータ２３を作動して洗浄槽２０に溜められた水（洗浄水）を加熱すると共に、ポンプ２６を正転させて洗浄槽２０に溜められた洗浄水を洗浄ノズル２２から噴射する。これにより、洗浄ノズル２２から噴射される洗浄水によって食器類Ｗが洗浄される。
【００５１】
水すすぎ工程では、運転制御部１１は、ヒータ２３を停止した状態でポンプ２６を逆転させて洗浄槽２０の排水を行う。次に、運転制御部１１は、給水電磁弁４４を開弁して洗浄槽２０に所定量の水を溜めた後、給水電磁弁４４を閉弁する。次に、運転制御部１１は、ポンプ２６を正転させて洗浄槽２０に溜められた水（常温の水）を洗浄ノズル２２から噴射する。これにより、洗浄ノズル２２から噴射された常温の水によって食器類Ｗがすすがれる。次に、運転制御部１１は、ポンプ２６を逆転させて排水を行う。
【００５２】
加熱すすぎ工程では、運転制御部１１は、まず、給水電磁弁４４を開弁して洗浄槽２０に所定量の水を溜めた後、給水電磁弁４４を閉弁する。次に、運転制御部１１は、ヒータ２３を作動して洗浄槽２０に溜められた水を加熱すると共に、ポンプ２６を正転させて洗浄槽２０に溜められた水（温水）を洗浄ノズル２２から噴射する。これにより、洗浄ノズル２２から噴射された温水によって食器類Ｗがすすがれる。
【００５３】
乾燥工程では、運転制御部１１は、まず、ポンプ２６を逆転させて洗浄槽２０の排水を行う。次に、運転制御部１１は、乾燥ファン２８及びヒータ２３を作動させて洗浄槽２０内を乾燥させる。これにより、洗浄槽２０内の食器類Ｗが乾燥される。
【００５４】
食器洗浄運転の運転コース（本発明の運転条件に相当）は、コース設定スイッチ５２の操作によって変更可能である。
【００５５】
〔３．運転制御部１１の処理〕
次に、運転制御部１１の処理について、図５及び図６を参照して説明する。
【００５６】
運転制御部１１は、食器洗浄機１の設置時等に電源回路７１が前記商用電源に接続されてコントローラ１０が起動したときに作動を開始し、ＳＴＥＰ１で、位置センサ４５がＯＮになっても食器洗浄運転を実行しない運転禁止モードに設定し、ＳＴＥＰ２に進む。このとき、食器洗浄機１は、食器洗浄運転は実行されていない。
【００５７】
ＳＴＥＰ２で、運転制御部１１は、全てのコースＬＥＤ５４（標準ＬＥＤ５４ａ、念入りＬＥＤ５４ｂ、乾燥ＬＥＤ５４ｃ及びソフト排気ＬＥＤ５４ｄ）を消灯し、ＳＴＥＰ３に進む。
【００５８】
ＳＴＥＰ３で、運転制御部１１は、位置センサ４５がＯＦＦに切り替わったか否かを判定し、ＯＦＦに切り替わった場合にはＳＴＥＰ４に進み、ＯＦＦに切り替わっていない場合にはＳＴＥＰ３に戻る。位置センサ４５がＯＦＦに切り替わったとき、図２に示すように洗浄槽２０が筐体４０から引き出され、操作部５０は使用者によって操作可能となる。
【００５９】
ＳＴＥＰ４で、運転禁止モード及び全てのコースＬＥＤ５４の消灯を維持した状態で、スタートスイッチ５１が操作されたか否かを判断する。ＳＴＥＰ４で、スタートスイッチ５１が操作された場合にはＳＴＥＰ５に進み、操作されていない場合にはＳＴＥＰ６に進む。
【００６０】
ＳＴＥＰ６で、運転制御部１１は、コース設定スイッチ５２が操作されたかを判断し、コース設定スイッチ５２が操作された場合には後述のＳＴＥＰ１１に進み、コース設定スイッチ５２が操作されていない場合にはＳＴＥＰ４に戻る。
【００６１】
ＳＴＥＰ５で、運転制御部１１は、運転禁止モードから運転待機モードに変更すると共に、運転待機モードになったことをブザー５６によって報知し、ＳＴＥＰ７に進む。前記運転待機モードは、位置センサ４５がＯＮになることを条件として、食器洗浄運転を実行するモードである。
【００６２】
次に、ＳＴＥＰ７で、運転制御部１１は、所定の運転コースを設定すると共に、その運転コースに対応するコースＬＥＤ５４を点灯し、ＳＴＥＰ８に進む。ここで、食器洗浄機１自体が初めて使用される場合には、運転コースとして標準コースを設定し、食器洗浄機１の使用が２回目以降である場合には、前回の運転コースと同一の運転コースを設定する。
【００６３】
次に、ＳＴＥＰ８で、運転制御部１１は、コース設定スイッチ５２が操作されたか否かを判断し、操作された場合にはＳＴＥＰ１１に進み、操作されていない場合にはＳＴＥＰ９に進む。
【００６４】
次に、ＳＴＥＰ９で、運転制御部１１は、位置センサ４５がＯＮか否かを判断し、ＯＮである場合にはＳＴＥＰ１０に進み、ＯＮでない場合にはＳＴＥＰ８に戻る。
【００６５】
次に、ＳＴＥＰ１０で、運転制御部１１は、設定された運転コースに従って、食器洗浄運転を実行した後に、ＳＴＥＰ１に戻る。
【００６６】
次に、運転制御部１１が、ＳＴＥＰ６又はＳＴＥＰ８でコース設定スイッチ５２が操作されたと判断してＳＴＥＰ１１に進んだ場合について説明する。
【００６７】
ＳＴＥＰ１１で、運転制御部１１は、運転禁止モードに設定し、ＳＴＥＰ１２に進む。
【００６８】
次に、ＳＴＥＰ１２で、運転制御部１１は、コース設定スイッチ５２の操作に応じて運転コースを設定すると共に、設定された運転コースに応じたコースＬＥＤ５４を点灯し、ＳＴＥＰ１３に進む。
【００６９】
ここで、コース設定スイッチ５２の操作と、運転コースの設定及びコースＬＥＤ５４の点灯について説明する。
【００７０】
コース設定スイッチ５２が１回操作されたとき、運転制御部１１は、前回の食器洗浄運転で実行した運転コースに設定する。また、コース設定スイッチ５２が複数回操作された場合には、運転制御部１１は、コース設定スイッチ５２の操作回数に応じて、運転コースを、「標準コース」、「標準＋乾燥２時間コース」、「標準＋ソフト排気コース」、「標準＋ソフト排気＋乾燥２時間コース」、「念入りコース」、「念入り＋乾燥２時間コース」、「念入り＋ソフト排気コース」、「念入り＋ソフト排気＋乾燥２時間コース」、「乾燥コース」の順で変更し、その後は、「標準コース」、「標準＋乾燥２時間コース」、……と変更する。
【００７１】
ここで、「標準＋乾燥２時間コース」とは、「洗浄工程」→「水すすぎ工程」→「加熱すすぎ工程」→「乾燥工程」を実行する標準コースにおいて、乾燥工程を２時間に変更するコースである。「標準＋ソフト排気コース」とは、標準コースにおいて、乾燥工程において通気口ｅから排気される温風の排気温度を４０℃に低下させるコースである。「念入りコース」とは、標準コースにおいて、加熱すすぎ工程の温度を８０℃に上昇させるコースである。「乾燥コース」とは、乾燥工程のみを実行するコースである。
【００７２】
また、運転制御部１１は、設定した運転コースに応じて、標準ＬＥＤ５４ａ、念入りＬＥＤ５４ｂ、乾燥ＬＥＤ５４ｃ及びソフト排気ＬＥＤ５４ｄを点灯する。例えば、「標準コース」では、標準ＬＥＤ５４ａを点灯し、「標準＋乾燥２時間コース」では、標準ＬＥＤ５４ａ及び乾燥ＬＥＤ５４ｃを点灯する。
【００７３】
次に、ＳＴＥＰ１３で、運転制御部１１は、スタートスイッチ５１が操作されたか否かを判断し、操作された場合にはＳＴＥＰ１４に進み、操作されていない場合にはＳＴＥＰ２１に進む。
【００７４】
ＳＴＥＰ１４で、運転制御部１１は、運転待機モードに設定すると共に、運転待機モードになったことをブザー５６によって報知し、ＳＴＥＰ８に進む。
【００７５】
ＳＴＥＰ２１で、運転制御部１１は、位置センサ４５がＯＮか否かを判断し、ＯＮである場合にはＳＴＥＰ２２に進み、ＯＮでない場合にはＳＴＥＰ３１に進む。
【００７６】
ＳＴＥＰ２２で、運転制御部１１は、エラーであってスタートスイッチ５１の操作が必要であることをブザー５６によって報知する。
【００７７】
ＳＴＥＰ３１で、運転制御部１１は、コース設定スイッチ５２が操作されたか否かを判断し、操作された場合にはＳＴＥＰ１２に戻り、操作されていない場合にはＳＴＥＰ１３に戻る。
【００７８】
本実施形態の食器洗浄機１では、食器洗浄運転が実行されていない状態で使用者によって洗浄槽２０が筐体４０から引き出されたとき、全てのコースＬＥＤ５４（標準ＬＥＤ５４ａ、念入りＬＥＤ５４ｂ、乾燥ＬＥＤ５４ｃ及びソフト排気ＬＥＤ５４ｄ）が消灯されている。よって、使用者が、食器洗浄運転を開始する目的ではなく、洗浄槽２０から洗浄済の食器類Ｗを取り出す目的で洗浄槽２０を筐体４０から引き出したとき、不要な電力が消費されているとの不満を使用者に抱かせることを防ぐことができる。
【００７９】
また、使用者によって洗浄槽２０が筐体４０から引き出された後、使用者によってスタートスイッチ５１が操作されるか、或いは、コース設定スイッチ５２が操作された後にスタートスイッチ５１が操作され、その後、洗浄槽２０が筐体４０内の洗浄位置に収納されると、食器洗浄運転が実行される。このように、食器洗浄機１では、電源スイッチの操作を必要とする従来技術の食器洗浄機と比較して、食器洗浄運転の開始を指示するための操作を簡素化することができる。
【００８０】
また、本実施形態の食器洗浄機１では、使用者によってスタートスイッチ５１が操作された後にコース設定スイッチ５２が操作されると、運転待機モードから運転禁止モードに切り替わり、使用者によって再びスタートスイッチ５１が操作されない限り、洗浄槽２０が筐体内の洗浄位置に収納されたときにブザー５６によってエラーを報知し（ＳＴＥＰ２２）食器洗浄運転を開始しない。これにより、使用者に食器洗浄運転を開始しようとする意図がないときに食器洗浄運転が実行されることを防ぐと共に、スタートスイッチ５１の操作を促すことができる。
【００８１】
本実施形態の食器洗浄機１において、運転待機モードにおいてスタートスイッチ５１が長押し操作されたとき、運転禁止モードに切り替えると共に全てのコースＬＥＤ５４を消灯するようにしてもよい。
【００８２】
また、予約設定スイッチ５３が操作されたとき、予約ＬＥＤ５５を点灯すると共に運転禁止モードに設定し、その後、スタートスイッチ５１が操作されて運転待機モードになった後で位置センサ４５がＯＮになったとき、その時点から所定時間後、例えば４時間後に食器洗浄運転を開始するようにしてもよい。
【００８３】
ところで、本実施形態の食器洗浄機１では、使用者によってスタートスイッチ５１が操作された後にコース設定スイッチ５２が操作されると、運転制御部１１は運転待機モードから運転禁止モードに切り替わるが、運転待機モードが維持されるようにしてもよい。
【００８４】
この形態では、運転制御部１１は、ＳＴＥＰ４でスタートスイッチ５１が操作されたと判定し、その後、ＳＴＥＰ８でコース設定スイッチ５２が操作されたと判定したとき、ＳＴＥＰ１１に進まずに、コース設定スイッチ５２の操作に応じて運転コースを設定すると共に、設定された運転コースに応じたコースＬＥＤ５４を点灯し、ＳＴＥＰ８に戻る。
【００８５】
この形態の食器洗浄機によれば、使用者によってスタートスイッチ５１が一度でも操作されたのであればコース設定スイッチ５２を操作した後にスタートスイッチ５１が再操作されなくても、位置センサ４５がＯＮになったときに食器洗浄運転を開始することができる。従って、食器洗浄運転の開始を指示するための操作を簡素化することができると共に、スタートスイッチ５１及びコース設定スイッチ５２を操作する順序について使用者が注意を払う必要がなく使用者の負担を減らすことができる。
【符号の説明】
【００８６】
１…食器洗浄機、１１…運転制御部（制御手段）、２０…洗浄槽、４０…筐体、４５…位置センサ（位置検出手段）、５１…スタートスイッチ（運転スイッチ）、５２…コース設定スイッチ（条件設定スイッチ）、５４…コースＬＥＤ（表示手段）、Ｍ…開口、Ｗ…食器。
【図１】
2016067674.tif 000003
【図２】
2016067674.tif 000004
【図３】
2016067674.tif 000005
【図４】
2016067674.tif 000006
【図５】
2016067674.tif 000007
【図６】
2016067674.tif 000008